(57)【要約】【課題】パチンコ遊戯機等におけるＥＬシートを長期に亘って安定して発光でき、ショートに起因するトラブルを未然に回避できるようにすること。【解決手段】パチンコ遊戯機の基盤２にＥＬシート３を設け、基盤２上の絵柄等を備えたセル板４の光源とするようにしたディスプレイ装置であって、前記ＥＬシート３における透明電極シート３Ｂの透明電極層３ｂ２を、釘止め位置相当箇所において除去してある。【選択図】      図２
2006167414.tif 000002
【特許請求の範囲】
【請求項１】
パチンコ遊戯機の基盤２にＥＬシート３を設け、遊技機本体１よりパターン信号を送って前記ＥＬシート３を点滅発光させて、基盤２上の絵柄等を備えたセル板４の光源とするようにしたディスプレイ装置であって、
前記ＥＬシート３が、少なくとも表面保護フィルム３Ａ、ＰＥＴフィルム３ｂ１の裏面に透明電極層３ｂ２を備えた透明電極シート３Ｂ、ＥＬ発光体層３Ｃ、絶縁体層３Ｄ、背面電極層３Ｅ、及び裏面保護フィルム３Ｆを順次積層して構成され、
前記透明電極シート３Ｂの透明電極層３ｂ２を、釘止め位置相当箇所において除去してある、
ことを特徴とするパチンコ遊戯機のディスプレイ装置。
【請求項２】
前記透明電極シート３Ｂの透明電極層３ｂ２が除去された箇所において、対応する背面電極層３Ｅを除去してある、
ことを特徴とする請求項１におけるパチンコ遊戯機のディスプレイ装置。
【請求項３】
前記透明電極シート３Ｂの透明電極層３ｂ２が除去された箇所において、対応する前記ＥＬ発光体層３Ｃ、絶縁体層３Ｄ、及び背面電極層３Ｅを除去してある、
ことを特徴とする請求項１におけるパチンコ遊戯機のディスプレイ装置。
【請求項４】
表面保護フィルム３Ａ、ＰＥＴフィルム３ｂ１の裏面に透明電極層３ｂ２を備えた透明電極シート３Ｂ、ＥＬ発光体層３Ｃ、絶縁体層３Ｄ、背面電極層３Ｅ、及び裏面保護フィルム３Ｆを順次積層して構成されてなるＥＬシートの製造方法であって、
前記透明電極シート３Ｂの透明電極層３ｂ２の所要箇所をエッチング、機械的手段、又はスパッタリングの何れか一つの方法によって部分的に除去してあることを特徴とする、
ＥＬシートの製造方法。
【請求項５】
前記透明電極シート３Ｂの透明電極層３ｂ２が除去された箇所において、対応する背面電極層３Ｅを敷設排除してあることを特徴とする請求項４のＥＬシートの製造方法。
【請求項６】
前記透明電極シート３Ｂの透明電極層３ｂ２が除去された箇所において、対応する前記ＥＬ発光体層３Ｃ、絶縁体層３Ｄ、及び背面電極層３Ｅを敷設排除してあることを特徴とする
請求項４のＥＬシートの製造方法。
【発明の詳細な説明】
【技術分野】
【０００１】  本発明は、パチンコ遊戯機、スロットルマシン、ピンボールマシン等に用いられるディスプレイ装置と該装置に用いられるＥＬシートの製造方法に関するものである。
【背景技術】
【０００２】  最近、エレクトロルミネセンス（ＥＬ）に関する技術開発が進み、これを薄いシート状としたＥＬシートが普及しはじめている。
ＥＬシート（電界発光型ＥＬ）は、ＥＬ素子（分散型又は薄膜型）に電圧を印加するだけで電界発光できるもので、薄く、軽量、設置が容易で且つ安価であること、加えてインバーター及びコンピューターを介して点灯パターン信号を送ることで多様な発光ディスプレイが可能である等の理由でパチンコ遊技機の基盤に設けたセル板画像の光源として利用され始めている。【０００３】  こうしたパチンコ遊技機にＥＬシートを用いる技術は次のものが知られている。
【特許文献１】特開平７−１０８０８４。これは、ＥＬパネルで化粧シート（形象有り）の形象に対応させた発光部を備える。
【特許文献２】特開平９−９４３２２。エレクトロルミネセンスランプでセルシートを発光させる。
【特許文献３】特開２００１−１７６８４。複数の図柄をエレクトロルミネセンスで可変表示可能とした。
【特許文献４】特開２０００−１７６０９０．これは、基盤上のセル板のコーティングに関するものであるが、同時に従来の一般の釘打ちを示す。
【発明の開示】
【発明が解決しようとする課題】
【０００４】  上記のＥＬを用いたパチンコ遊戯機に用いる分散型のＥＬシートの内部構造としては、一般に、表面保護フィルム、ＰＥＴフィルムの裏面に電極層を備えた透明電極シート、セル板画像に対応したＥＬ発光体層、絶縁体層、背面電極層、及び裏面保護フィルムを順次積層して構成されている。そのＥＬ発光体としては、シアノエチルセルロースなどの導電率の大きいバインダ樹脂に、母体の硫化亜鉛、銅、塩素、ヨウ素、或いはマンガンなどの発光中心となる付活剤や共付活剤を加えた粉末を分散させて、種々の発光色を得ている。【０００５】  そして、ＥＬシートにおける表面側の電極層としては、セル板の光源としての必要性から透明でなければならず、従って、その透明電極層としては、一般に、ＩＴＯ（インジウム／錫酸化物）の薄膜体がＰＥＴフィルムの裏面に物理蒸着法（ＰＶＤ／蒸発系又はスパッタ系）、通常、蒸発系によって薄膜形成される。また、背面電極としては、アルミ箔などの金属が用いられる。
尚、駆動方式からは交流駆動型ＥＬと直流駆動型ＥＬとがあるが、一般には、交流駆動型が多用されている。【０００６】  ところで、これまで、パチンコ遊戯機においては、パチンコ玉を誘導する多数の釘が盤面に打ち付けられており、これらの釘は、必然的に盤面上のセル板は勿論、ＥＬシート（ＥＬパネル）をも貫通して基盤に対して釘止めすることになる。
勿論、これらの釘は、コンピューター制御によって、盤面の所定の位置に打ち付けられることになる。【０００７】  上述したように、透明電極層はＰＥＴフィルムの裏面全体に蒸着されているので、前記釘は、この電極層に接触し、また、背面電極層にも接触するが、製造当初においては、釘の表面絶縁性が生きているので問題はないが、時間経過による劣化により釘の絶縁性が失われ、或いはパチンコ玉誘導の釘調整によるＥＬシートの歪変形により、薄いＥＬシートの透明電極層が裏面の背面電極層に接触してショートしてしまうという事態が発生していた。【０００８】  その結果、両面に流れる電流が短絡してＥＬ発光体層を正規に発光出来なくなるという問題が頻繁に発生しており、長期に安定して発光を制御することが出来ないという問題が発生していた。【０００９】  本発明はかかる問題点に鑑み、パチンコ遊戯機等におけるＥＬシートを長期に亘って安定して発光でき、ショートに起因するトラブルを未然に回避できるところのパチンコ遊戯機のディスプレイ装置と、当該遊技機に用いるＥＬシートの製造方法を提供することを目的とする。
【課題を解決するための手段】
【００１０】  本発明にかかるパチンコ遊戯機のディスプレイ装置は、上記問題を解決するべく、パチンコ遊戯機の基盤２にＥＬシート３を設け、遊技機本体１よりパターン信号を送って前記ＥＬシート３を点滅発光させて、基盤２上の絵柄等を備えたセル板４の光源とするようにしたディスプレイ装置であって、
前記ＥＬシート３が、少なくとも表面保護フィルム３Ａ、ＰＥＴフィルム３ｂ１の裏面に透明電極層３ｂ２を備えた透明電極シート３Ｂ、ＥＬ発光体層３Ｃ、絶縁体層３Ｄ、背面電極層３Ｅ、及び裏面保護フィルム３Ｆを順次積層して構成され、
前記透明電極シート３Ｂの透明電極層３ｂ２を、釘止め位置相当箇所において除去してある、
という手段を講じたものである。【００１１】  また、本発明にかかるＥＬシートの製造方法は、表面保護フィルム３Ａ、ＰＥＴフィルム３ｂ１の裏面に透明電極層３ｂ２を備えた透明電極シート３Ｂ、ＥＬ発光体層３Ｃ、絶縁体層３Ｄ、背面電極層３Ｅ、及び裏面保護フィルム３Ｆを順次積層して構成されてなるＥＬシートの製造方法であって、
前記透明電極シート３Ｂの透明電極層３ｂ２の所要箇所をエッチング、機械的手段、又はスパッタリングの何れか一つの方法によって部分的に除去してあることを特徴とする。
【発明の効果】
【００１２】  本発明によれば、パチンコ遊戯機におけるＥＬシートの釘貫通位置相当箇所の透明電極層を除去してあるので、釘、ＥＬシートの劣化においても、透明電極層が背面電極層に接触するという虞は未然に回避できることになり、これによって、ショートを来たすという問題は無くなり、長期に亘って安定した発光が期待出来るに至ったのである。【００１３】  こうしたＥＬシートを製造するに、ＥＬシートにおける所定位置の箇所における透明電極層をエッチング、機械的手段又はスパッタリングの何れか一つの方法を採るだけで目的が達成できるので、製造コストも嵩むことはなく、安価に提供できる利点がある。
【発明を実施するための最良の形態】
【００１４】  本発明の装置の実施に際しては、前記透明電極シート３Ｂの透明電極層３ｂ２が除去された箇所において、対応する背面電極層３Ｅを除去してあるこが好ましい。
或いは、前記透明電極シート３Ｂの透明電極層３ｂ２が除去された箇所において、対応する前記ＥＬ発光体層３Ｃ、絶縁体層３Ｄ、及び背面電極層３Ｅを除去してあるのが好ましい。
勿論、既述のように、少なくとも釘止め位置における透明電極シート３Ｂの透明電極層３ｂ２が除去されていれば目的は達成されるが、対応する前記ＥＬ発光体層３Ｃ、絶縁体層３Ｄ、及び背面電極層３Ｅを除去してあれば、時間経過による劣化、釘の変形等に際して依り一層確実にショートを回避出来る。【００１５】  上述した、透明電極層の部分的な除去手段の一つの機械的手段としては、例えば、トムソンを用いることが出来る。
また、エッチングとしては、例えば、水性エッチングを用い、予め、ＰＥＴフィルム３ｂ１の裏面の釘止メ位置に水性インキをコーティングしておき、その上に、透明電極層としてアルミニウムを蒸着させ、後に水洗することによって前記水性インクと共に透明電極層を部分的に除去する。【００１６】  また、スパッタリングとしては、例えば、ＥＬシートを真空のチャンバーにセットし、真空中のアルゴン粒子をターゲットである透明電極層の釘止め位置相当箇所に衝突させて、当該箇所を削り採るという方法がある。【００１７】  こうした透明電極層のエッチング、機械的手段、スパッタリング等の除去手段は種々存在するので、その他の既存の方法を適宜利用してもよい。そして、背面電極層についても同様の手段を適宜応用できる。
また、釘止め位置に対応する前記ＥＬ発光体層３Ｃ、絶縁体層３Ｄの部分的除去については、例えば、ＥＬ発光体層３Ｃは、セル板の画像に対応させてプリントするので、そのプリントの画像の所定位置において、ＥＬ発光体を塗布しないようにしておけば済むものであり、絶縁体層も同様に処理すればよい。
【実施例】
【００１８】  本発明の実施例について、図面を参照して以下詳述すると、図１は、装置の全体の模式図であり、図２は、盤面の要部の拡大縦断側面図である。
パチンコ遊戯機のディスプレイ装置は、基盤２にＥＬシート３を設け、遊技機本体１よりパターン信号を送って前記ＥＬシート３を点滅発光させて、基盤２上の絵柄等を備えたセル板４の光源とするようにしてある。【００１９】  前記ＥＬシート３には、専用のインバーター５を介して所定の電圧が印加されるが、その際、マイクロコンピューター６にプログラムされた所定の点滅パターン信号によって点滅させられ、これによって、ＥＬシートの透明電極層を透過した光が、前記セル板４を点滅させて光装飾の役割を果たす。【００２０】  前記ＥＬシート３は、ここでは、表面保護フィルム３Ａ、ＰＥＴフィルム３ｂ１の裏面に透明電極層３ｂ２を備えた透明電極シート３Ｂ、ＥＬ発光体層３Ｃ、絶縁体層３Ｄ、背面電極層３Ｅ、及び裏面保護フィルム３Ｆを順次積層して構成されている。
ここでは、前記ＥＬ発光体として、シアノエチルセルロースなどの導電率の大きいバインダ樹脂に、母体の硫化亜鉛、銅、塩素、ヨウ素、或いはマンガンなどの発光中心となる付活剤や共付活剤を加えた粉末を分散させて、種々の発光色を得ている。しかし、母体の硫化亜鉛（ＺｎＳ）に、発光中心としてのマンガン（Ｍｎやテルビウム（Ｔｂ）を加えたＺｎＳ：Ｍｎ、ＺｎＳ：Ｔｂ、また、ＣａＳ（硫化カルシウム）やＳｒＳ（硫化ストロンチウム）のどのアルカリ土類の硫化物に、Ｔｂ，Ｓｍ（サマリウム）、Ｔｍ（ツリウム）、Ｅｕ（ユウロビウム）、Ｃｅ（セリウム）などの稀土元素を発光中心として添加して構成したものを用いてよい。
また、透明電極層３ｂ２としては、ここでは、ＩＴＯ（インジウム／錫酸化物）を用いている。
また、ＩＴＯに代えて、透明導電性インクを用いてもよく、導電性材料としては、ポリチオフェン系導電性高分子を用いることができる。【００２１】  また、前記絶縁体層３Ｃは、誘電率の高い樹脂を用いており、これは、既存のコーティング手段によって設けられている。
そして、背面電極層３Ｅとしては、ここでは、アルミ箔をコーティンして用いているが，Ａｇ・Ｃ・（銀、カーボン）を用いてもよい。また前記透明ではない。
更に、上記表面保護フィルム３Ａ及び裏面保護フィルム３Ｆは、ここでは前記透明電極シート３Ｂと同様に、ＰＥＴを用いている。【００２２】  そして、前記透明電極シート３Ｂの電極層３ｂ２を、釘止め位置相当箇所において除去してある。この除去手段については、後述のＥＬシートの製造方法において詳述するが、水性エッチング方法を用いている。
同様に、この実施例においては、前記透明電極シート３Ｂの電極層３ｂ２が除去された箇所において、対応する前記ＥＬ発光体層３Ｃ、絶縁体層３Ｄ、及び背面電極層３Ｅを除去してある。
これらの部分的除去手段は、これらの層がプリント（塗布）によって形成されるので、所定箇所においてプリントがなされないように、プリントのコンピューター制御において実行される。【００２３】  次に、ＥＬシートの製造方法の一例について、図３乃至図５に基づき詳述する。
この製造方法は、水性エッチングを用いるものである。
即ち、表面保護フィルム３Ａ、ＰＥＴフィルム３ｂ１の裏面に透明電極層３ｂ２を備えた透明電極シート３Ｂ、ＥＬ発光体層３Ｃ、絶縁体層３Ｄ、背面電極層３Ｅ、及び裏面保護フィルム３Ｆを順次積層して構成されてなるＥＬシートの製造方法において、前記透明電極シート３Ｂの透明電極層３ｂ２の所要箇所を水性エッチングによって部分的に除去する。【００２４】  これを工程順に述べると、図３において、既存の方法で製造された透明電極シート３Ｂ、即ち、ＰＥＴフィルム３ｂ１の裏面に透明電極層３ｂ２としてのアルミニウムを蒸着させる際、予め、釘止め位置、即ち、釘打ち機のコンピューターにインプットされた釘打ち位置のデータを用い、ＰＥＴフィルム３ｂ１の裏面の所定位置に水性インキによって、釘径よりも少し大きめの多数のドット７をプリントしておく。この図３においては、便宜上、ドットの数を少なく表示している。【００２５】  しかる後、次工程として、アルミニウムを蒸着させると、図４に示す如くとなる。そして、これを水洗によってエッチングを行い、水性インクのドット７と共に透明電極層３ｂ２を部分的に除去すると、図５に示す如く、透明電極シート３Ｂから、釘止メ位置相当箇所の透明電極層３ｂ２が除去された状態が得られるのである。【００２６】  また、ここでは、前記透明電極シート３Ｂの透明電極層３ｂ２が除去された箇所において、対応する前記ＥＬ発光体層３Ｃ、絶縁体層３Ｄ、及び背面電極層３Ｅを敷設排除する。
この方法として、上述した透明電極シート３Ｂが完成された状態で、釘打ち位置相当箇所のデータを入力したコンピューターにより制御される公知のプリンターを用いて、前記ＥＬ発光体層３Ｃをプリントするときに、その所定の位置に当該ＥＬ発光体がプリントされないようにする。【００２７】  同様に、絶縁体層３Ｄ及び背面電極層３Ｅについても、その公知の手段によるプリントに際して、所定箇所にそれぞれプリントがなされないようにすることにより、上記透明電極シート３Ｂから背面電極層３Ｅまで、釘打ち位置相当箇所において、切り欠いた状態のＥＬシートが得られるのである。
【産業上の利用可能性】
【００２８】  本発明によれば、ＥＬシートを用いたパチンコ遊戯機において、装飾用アクリルカバー（ＬＥＤ内蔵）も併用されケースも多いので、この場合のＬＥＤ設置位置にも適用出来ると共に、同様に、使用するＥＬシートを、釘、ボルト等を用いて止め付けるケースであれば、例えば、ピンボールマシン等の遊戯機や、壁面の広告パネル等の広告手段にも適用できるので、この発明の利用範囲は広い。
【図面の簡単な説明】
【００２９】
【図１】実施例における装置の概略説明図である。
【図２】実施例における装置の要部の拡大縦断側面図である。
【図３】実施例における透明電極シートの一製造工程を示す斜視図である。
【図４】実施例における透明電極シートの一製造工程を示す縦断側面図である。
【図５】実施例における透明電極シートの一製造工程を示す縦断側面図である。
【符号の説明】
【００３０】１：遊技機本体
２：基盤
３：ＥＬシート
３Ａ：表面保護フィルム
３Ｂ：透明電極シート
３Ｃ：ＥＬ発光体層
３Ｄ：絶縁体層
３Ｅ：背面電極層
３Ｆ：裏面保護フィルム
３ｂ１：ＰＥＴフィルム
３ｂ２：透明電極層
４：セル板
【図１】
2006167414.tif 000003
【図２】
2006167414.tif 000004
【図３】
2006167414.tif 000005
【図４】
2006167414.tif 000006
【図５】
2006167414.tif 000007